(57)【要約】【課題】二次電池の充電電圧値が満充電電圧値を越えたとき、あるいは、二次電池が温度上昇したとき、二次電池を保護するための二次電池保護回路提供する。【解決手段】本発明の二次電池保護回路は、非水系の二次電池に並列に接続された二次電池保護回路であって、第１電圧検出回路４０、第２電圧検出回路５０、スイッチ手段６０及び放熱手段７０を備えており、二次電池１０に並列に接続された第１電圧検出回路４０は温度検出手段４３を有し、二次電池１０に並列に接続された第２電圧検出回路５０と第１電圧検出回路４０のいずれか一方あるいは両方がオン状態である場合、スイッチ手段６０が導通状態となり、二次電池６０に蓄えられていた電力が放熱手段７０によって熱に変換される。【選択図】  図１
2011250628.tif 000002
【特許請求の範囲】
【請求項１】
非水系の二次電池に並列に接続された二次電池保護回路であって、
（Ａ）第１電圧検出回路、
（Ｂ）第２電圧検出回路、
（Ｃ）スイッチ手段、及び、
（Ｄ）放熱手段、
を備えており、
第１電圧検出回路は、二次電池に並列に接続され、温度検出手段を有し、電圧出力部を備えた第１抵抗分圧回路、及び、第１抵抗分圧回路の電圧出力部に入力部が接続され、入力部における電圧が第１基準電圧値以上である場合にオン状態となる第１の回路から構成されており、
第２電圧検出回路は、二次電池に並列に接続され、電圧出力部を備えた第２抵抗分圧回路、及び、第２抵抗分圧回路の電圧出力部に入力部が接続され、入力部における電圧が第２基準電圧値以上である場合にオン状態となる第２の回路から構成されており、
スイッチ手段と放熱手段とは直列に接続され、且つ、直列に接続されたスイッチ手段と放熱手段は、二次電池に並列に接続されており、
第１の回路の出力及び第２の回路の出力によって、スイッチ手段の作動が制御され、
第１の回路と第２の回路のいずれか一方あるいは両方がオン状態である場合、スイッチ手段が導通状態となり、二次電池に蓄えられていた電力が放熱手段によって熱に変換される二次電池保護回路。
【請求項２】
温度検出手段で検出された温度に依存して第１抵抗分圧回路の電圧出力部における出力電圧値が第１基準電圧値以上となったとき、又は、第２抵抗分圧回路の電圧出力部における出力電圧値が第２基準電圧値以上となったとき、第１の回路と第２の回路のいずれか一方あるいは両方がオン状態となる請求項１に記載の二次電池保護回路。
【請求項３】
温度検出手段はサーミスタから成る請求項１又は請求項２に記載の二次電池保護回路。
【請求項４】
放熱手段は抵抗器である請求項１乃至請求項３のいずれか１項に記載の二次電池保護回路。
【請求項５】
スイッチ手段はトランジスタから成る請求項１乃至請求項４のいずれか１項に記載の二次電池保護回路。
【請求項６】
二次電池はリチウムイオン電池から成る請求項１乃至請求項５のいずれか１項に記載の二次電池保護回路。
【請求項７】
（ａ）非水系の二次電池、
（ｂ）二次電池に並列に接続された二次電池保護回路、及び、
（ｃ）二次電池に接続された太陽電池、
から構成されたハイブリッド電源装置であって、
二次電池保護回路は、
（Ａ）第１電圧検出回路、
（Ｂ）第２電圧検出回路、
（Ｃ）スイッチ手段、及び、
（Ｄ）放熱手段、
を備えており、
第１電圧検出回路は、二次電池に並列に接続され、温度検出手段を有し、電圧出力部を備えた第１抵抗分圧回路、及び、第１抵抗分圧回路の電圧出力部に入力部が接続され、入力部における電圧が第１基準電圧値以上である場合にオン状態となる第１の回路から構成されており、
第２電圧検出回路は、二次電池に並列に接続され、電圧出力部を備えた第２抵抗分圧回路、及び、第２抵抗分圧回路の電圧出力部に入力部が接続され、入力部における電圧が第２基準電圧値以上である場合にオン状態となる第２の回路から構成されており、
スイッチ手段と放熱手段とは直列に接続され、且つ、直列に接続されたスイッチ手段と放熱手段は、二次電池に並列に接続されており、
第１の回路の出力及び第２の回路の出力によって、スイッチ手段の作動が制御され、
第１の回路と第２の回路のいずれか一方あるいは両方がオン状態となり、二次電池に蓄えられていた電力が放熱手段によって熱に変換されるハイブリッド電源装置。
【発明の詳細な説明】
【技術分野】
【０００１】
本発明は、二次電池保護回路及びハイブリッド電源装置に関し、より具体的には、非水系の二次電池の保護のための二次電池保護回路、及び、非水系の二次電池と太陽電池と二次電池保護回路とを備えたハイブリッド電源装置に関する。
【背景技術】
【０００２】
太陽電池は光が照射されている間しか発電することができないため、太陽電池単体で電子機器を安定に駆動させることは困難である。電子機器を安定に駆動させる方法として、太陽電池と二次電池とを組み合わせてハイブリッド電源装置を構成し、二次電池を電力バッファとして使用する方法が知られている。この方法にあっては、電子機器の電力使用量が発電電力量を上回っている間は、太陽電池と二次電池の双方で電子機器を駆動する。一方、電子機器の電力使用量が発電電力量を下回っているときには、太陽電池からの余剰電力で二次電池を充電する。このようなハイブリッド電源装置を用いることで、太陽電池の発電能力を電子機器の最大消費電力量に対応させる必要性が無くなり、太陽電池からは平均的な電力量を電子機器に供給すればよいことになる。これは、太陽電池モジュールのサイズを小型化できることを意味しており、電力の安定供給と小型化の両方を実現できるハイブリッド技術は、小型・ポータブルを目指す電子機器に対して非常に効果的な技術であると云える。
【０００３】
ところで、ハイブリッド電源装置においては、二次電池の温度上昇に伴う安全性に十分考慮する必要がある。なぜなら、太陽電池を搭載した電子機器は、積極的に太陽光に晒される可能性が高いからである。例えば、真夏の車内であれば、炎天下のダッシュボード上に放置される可能性もあり、電子機器内部の大幅、且つ、急激な温度上昇に伴う二次電池の損傷発生が懸念される。
【先行技術文献】
【特許文献】
【０００４】
【特許文献１】特開２００８−２２０１１０
【特許文献２】特開２００３−２１７６８７
【発明の概要】
【発明が解決しようとする課題】
【０００５】
二次電池の充電電圧値が満充電電圧値を越える場合に二次電池を保護する過充電保護回路が、例えば、特開２００８−２２０１１０から周知である。また、特開２００３−２１７６８７には、リチウムイオン電池の高温保存時における電池の劣化を適宜放電することによって抑止する技術が開示されている。しかしながら、特開２００３−２１７６８７に開示された技術では、リチウムイオン電池が充放電中でない場合にのみ動作させているし、リチウムイオン電池の劣化防止を目的としている。これらの特許公開公報には、二次電池の充電電圧値が満充電電圧値を越えた場合の安全対策、二次電池の温度上昇に対する安全対策の２つを同時に満たす技術は、何ら開示されていない。
【０００６】
従って、本発明の目的は、二次電池の充電電圧値が満充電電圧値を越えたとき、あるいは、二次電池が温度上昇したとき、二次電池を保護するための二次電池保護回路、及び、係る二次電池保護回路を備えたハイブリッド電源装置を提供することにある。
【課題を解決するための手段】
【０００７】
上記の目的を達成するための本発明の二次電池保護回路は、非水系の二次電池に並列に接続された二次電池保護回路であって、
（Ａ）第１電圧検出回路、
（Ｂ）第２電圧検出回路、
（Ｃ）スイッチ手段、及び、
（Ｄ）放熱手段、
を備えており、
第１電圧検出回路は、二次電池に並列に接続され、温度検出手段を有し、電圧出力部を備えた第１抵抗分圧回路、及び、第１抵抗分圧回路の電圧出力部に入力部が接続され、入力部における電圧が第１基準電圧値以上である場合にオン状態となる第１の回路から構成されており、
第２電圧検出回路は、二次電池に並列に接続され、電圧出力部を備えた第２抵抗分圧回路、及び、第２抵抗分圧回路の電圧出力部に入力部が接続され、入力部における電圧が第２基準電圧値以上である場合にオン状態となる第２の回路から構成されており、
スイッチ手段と放熱手段とは直列に接続され、且つ、直列に接続されたスイッチ手段と放熱手段は、二次電池に並列に接続されており、
第１の回路の出力及び第２の回路の出力によって、スイッチ手段の作動が制御され、
第１の回路と第２の回路のいずれか一方あるいは両方がオン状態である場合、スイッチ手段が導通状態となり、二次電池に蓄えられていた電力が放熱手段によって熱に変換される。
【０００８】
上記の目的を達成するための本発明のハイブリッド電源装置は、
（ａ）非水系の二次電池、
（ｂ）二次電池に並列に接続された二次電池保護回路、及び、
（ｃ）二次電池に接続された太陽電池、
から構成されたハイブリッド電源装置である。そして、二次電池保護回路は、上述した本発明の二次電池保護回路から構成されている。
【発明の効果】
【０００９】
本発明の二次電池保護回路、あるいは又、本発明のハイブリッド電源装置に備えられた二次電池保護回路において、第１電圧検出回路には温度検出手段及び第１の回路が備えられており、第２電圧検出回路には第２の回路が備えられており、第１の回路と第２の回路のいずれか一方あるいは両方がオン状態である場合、スイッチ手段が導通状態となり、二次電池に蓄えられていた電力が放熱手段によって熱に変換され、熱として廃棄される。即ち、第２電圧検出回路は二次電池の充電電圧値が安全（適正）満充電電圧値あるいは過充電状態を生じさせる電圧値を越えたときの保護回路として機能し、第１電圧検出回路は二次電池が温度上昇したときに安全満充電電圧設定値あるいは過充電を生じさせ得る設定電圧値を下げる保護回路として機能する。そして、これによって、二次電池の高い安全性を達成することができる。
【図面の簡単な説明】
【００１０】
【図１】図１の（Ａ）及び（Ｂ）は、それぞれ、実施例１の二次電池保護回路の回路図、及び、実施例１のハイブリッド電源装置の概念図である。
【図２】図２は、周囲の温度Ｔと安全満充電電圧値Ｖsとの関係を示すグラフである。
【図３】図３は、周囲の温度Ｔと充電電圧値Ｖinとの関係を示すグラフであって、第１の回路と第２の回路のいずれか一方あるいは両方がオン状態（導通状態）である領域を斜線を付して模式的に示すグラフである。
【発明を実施するための形態】
【００１１】
以下、図面を参照して、実施例に基づき本発明を説明するが、本発明は実施例に限定されるものではなく、実施例における種々の数値や材料は例示である。尚、説明は、以下の順序で行う。
１．本発明の二次電池保護回路及びハイブリッド電源装置、全般に関する説明
２．実施例１（本発明の二次電池保護回路及びハイブリッド電源装置）、その他
【００１２】
［本発明の二次電池保護回路及びハイブリッド電源装置、全般に関する説明］
本発明の二次電池保護回路、あるいは又、本発明のハイブリッド電源装置に備えられた二次電池保護回路（以下、これらを総称して、『本発明の二次電池保護回路等』と呼ぶ）にあっては、温度検出手段で検出された温度に依存して第１抵抗分圧回路の電圧出力部における出力電圧値が第１基準電圧値ＶREF-1以上となったとき、又は、第２抵抗分圧回路の電圧出力部における出力電圧値が第２基準電圧値ＶREF-2以上となったとき、第１の回路と第２の回路のいずれか一方あるいは両方がオン状態となる形態とすることができる。尚、第１基準電圧値ＶREF-1は第１の回路が有する内部基準電圧値、あるいは、電圧リファレンスＩＣの出力電圧値であり、第２基準電圧値ＶREF-2は第２の回路が有する内部基準電圧値、あるいは、電圧リファレンスＩＣの出力電圧値であり、これらの基準電圧値ＶREF-1，ＶREF-2は、基準温度（例えば、４０゜Ｃ）において二次電池に過充電状態を生じさせない電圧値に相当する電圧値、あるいは又、二次電池の安全満充電電圧値に相当する電圧値とすればよい。
【００１３】
上記の好ましい形態を含む本発明の二次電池保護回路等において、温度検出手段はサーミスタ、より具体的には、負の温度係数を有するサーミスタ（即ち、温度の上昇に対して電気抵抗値が減少するＮＴＣタイプのサーミスタ）から成る構成とすることができるし、これらの好ましい形態、構成を含む本発明の二次電池保護回路等において、放熱手段は抵抗器である構成とすることができるし、更には、これらの好ましい形態、構成を含む本発明の二次電池保護回路等において、スイッチ手段はトランジスタから成る構成とすることができる。尚、スイッチ手段をＦＥＴ（電界効果トランジスタ）から構成する場合、第１の回路の出力と第２の回路の出力の論理和をＦＥＴのゲートに入力すればよいし、バイポーラトランジスタから構成する場合、第１の回路の出力と第２の回路の出力の論理和をバイポーラトランジスタのベースに入力すればよい。第１の回路あるいは第２の回路は、例えば、シャントレギュレータから構成することができるし、あるいは又、オペアンプと電圧リファレンスＩＣの組合せ、コンパレータと電圧リファレンスＩＣの組合せ、トランジスタと電圧リファレンスＩＣの組合せから構成することができる。
【００１４】
更には、以上に説明した好ましい形態、構成を含む本発明の二次電池保護回路あるいは本発明のハイブリッド電源装置において、非水系（非水電解質）二次電池として、周知の構成、構造を有するリチウムイオン電池を挙げることができるが、これに限定するものでなく、その他、マグネシウムイオン電池、アルミニウムイオン電池を挙げることもできる。
【００１５】
また、モジュール化された太陽電池を含む太陽電池として、シリコン系太陽電池、化合物系太陽電池、色素増感太陽電池、有機薄膜太陽電池を含む有機系太陽電池を挙げることができる。本発明の二次電池保護回路における電源として、太陽電池以外にも、燃料電池、振動発電装置を挙げることができる。本発明のハイブリッド電源装置は、例えば、カーナビゲーション装置（カーナビゲーションシステム）、携帯型を含む各種オーディオ装置、携帯電話、スマートフォンをはじめとする各種情報端末、ノートブック型のパーソナルコンピュータ、モバイル型のパーソナルコンピュータ、ＰＤＡ（パーソナル・デジタル・アシスト）、ゲーム機、電子ブック、電子新聞等の電子ペーパー、電卓、腕時計、各種家電製品に組み込むことができ、あるいは、これらの電子機器の電源として使用することができる。
【実施例１】
【００１６】
実施例１は、本発明の二次電池保護回路及びハイブリッド電源装置に関する。実施例１の二次電池保護回路の回路図及びハイブリッド電源装置の概念図を、図１の（Ａ）及び（Ｂ）に示す。尚、図１の（Ａ）においては、図１の（Ｂ）に示した電流／電圧測定回路、ＭＰＰＴ制御回路の図示を省略している。
【００１７】
実施例１のハイブリッド電源装置は、
（ａ）非水系（非水電解質）二次電池（具体的には、リチウムイオン電池）１０、
（ｂ）二次電池１０に並列に接続された二次電池保護回路３０、及び、
（ｃ）二次電池１０に接続された太陽電池（具体的には、色素増感太陽電池）２０、
から構成されている。
【００１８】
そして、二次電池保護回路３０は、
（Ａ）第１電圧検出回路４０、
（Ｂ）第２電圧検出回路５０、
（Ｃ）スイッチ手段６０、及び、
（Ｄ）放熱手段７０、
を備えている。
【００１９】
第１電圧検出回路４０は、二次電池１０に並列に接続された第１抵抗分圧回路４１、及び、第１の回路（具体的には、第１シャントレギュレータ４４）から構成されている。第１抵抗分圧回路４１は、温度検出手段４３を有し、電圧出力部４２を備えている。第１シャントレギュレータ（第１の回路）４４の入力部４５は、第１抵抗分圧回路４１の電圧出力部４２に接続されており、入力部４５における電圧が第１基準電圧値ＶREF-1以上である場合にオン状態となる。温度検出手段４３は、サーミスタ、より具体的には、負の温度係数を有するＮＴＣタイプのサーミスタから成る。第１抵抗分圧回路４１は、限定するものではないが、直列接続された４つの抵抗Ｒ1，Ｒ2，Ｒ3，Ｒ4から構成されており、抵抗Ｒ2と抵抗Ｒ3との間に電圧出力部４２が設けられている。例えば、抵抗Ｒ1と抵抗Ｒ2においては、一方の抵抗は他方の抵抗よりも２桁程度高い電気抵抗値を有し、抵抗Ｒ3と抵抗Ｒ4においても、一方の抵抗は他方の抵抗よりも２桁程度高い電気抵抗値を有し、これらの抵抗Ｒ1，Ｒ2，Ｒ3，Ｒ4の電気抵抗値を調整することで、電圧出力部４２から出力される電圧値の微調整を行うことが可能である。
【００２０】
第２電圧検出回路５０は、二次電池１０に並列に接続された第２抵抗分圧回路５１、及び、第２の回路（具体的には、第２シャントレギュレータ５４）から構成されている。第２抵抗分圧回路５１は、電圧出力部５２を備えている。第２シャントレギュレータ（第２の回路）５４の入力部５５は、第２抵抗分圧回路５１の電圧出力部５２に接続されており、入力部５５における電圧が第２基準電圧値ＶREF-2以上である場合にオン状態となる。第２抵抗分圧回路５１は、限定するものではないが、直列接続された３つの抵抗Ｒ5，Ｒ6，Ｒ7から構成されており、抵抗Ｒ5と抵抗Ｒ6との間に電圧出力部５２が設けられている。抵抗Ｒ6と抵抗Ｒ7においては、一方の抵抗は他方の抵抗よりも高い電気抵抗値を有し、これらの抵抗Ｒ5，Ｒ6，Ｒ7の電気抵抗値を調整することで、電圧出力部５２から出力される電圧値の微調整を行うことが可能である。
【００２１】
スイッチ手段６０と放熱手段７０とは直列に接続され、且つ、直列に接続されたスイッチ手段６０と放熱手段７０は二次電池１０に並列に接続されている。放熱手段７０は抵抗器（例えば、仕様：２２オーム、０．９ワット）から構成されている。スイッチ手段６０は、ＰＮＰトランジスタ６１とＦＥＴ（Ｐチャネル型ＭＯＳＦＥＴ）６２から構成されている。ここで、第１シャントレギュレータ４４の出力部４６及び第２シャントレギュレータ５４の出力部５６は、ＰＮＰトランジスタ６１のベースに接続されており、また、抵抗Ｒ8を介して二次電池１０の一端に接続されている。ＰＮＰトランジスタ６１のエミッタは、抵抗Ｒ9を介して二次電池１０の一端に接続され、且つ、ＦＥＴ６２のゲートに接続されている。一方、ＰＮＰトランジスタ６１のコレクタは、二次電池１０の他端に接続されている。ＦＥＴ６２の一方のソース／ドレイン領域は二次電池１０の一端に接続され、他方のソース／ドレイン領域は放熱手段７０の一端に接続され、放熱手段７０の他端は二次電池１０の他端に接続されている。
【００２２】
そして、第１シャントレギュレータ４４の出力及び第２シャントレギュレータ５４の出力によってスイッチ手段６０の作動が制御され、第１シャントレギュレータ４４（第１の回路）と第２シャントレギュレータ５４（第２の回路）のいずれか一方あるいは両方がオン状態である場合、スイッチ手段６０が導通状態となり、二次電池１０に蓄えられていた電力が放熱手段７０によって熱に変換され、熱として廃棄される。
【００２３】
より具体的には、温度検出手段（ＮＴＣタイプのサーミスタ）４３で検出された温度に依存して、即ち、温度検出手段４３の電気抵抗値の変化に依存して第１抵抗分圧回路４１の電圧出力部４２における出力電圧値Ｖout-1が第１基準電圧値ＶREF-1（例えば１．２４ボルト）以上となったとき、又は、第２抵抗分圧回路５１の電圧出力部５２における出力電圧値Ｖout-2が第２基準電圧値ＶREF-2（例えば１．２４ボルト）以上となったとき、第１シャントレギュレータ４４と第２シャントレギュレータ５４のいずれか一方あるいは両方がオン状態となる。云い換えれば、第１シャントレギュレータ４４と第２シャントレギュレータ５４とは、一種の「ＯＲ」回路を構成する。
【００２４】
二次電池１０の周囲の温度Ｔと安全（適正）満充電電圧値Ｖsの関係を、図２に例示する。周囲の温度が４０゜Ｃ以下では、安全満充電電圧値は４．１８ボルトであるが、周囲の温度が６０゜Ｃになると、安全満充電電圧値は４．０１ボルトに低下し、周囲の温度が８０゜Ｃになると、安全満充電電圧値は３．９３ボルトに低下し、周囲の温度が１００゜Ｃになると、安全満充電電圧値は３．８８ボルトに低下する。
【００２５】
第２基準電圧値ＶREF-2は、第２シャントレギュレータ５４が有する内部基準電圧値であり、基準温度（例えば、４０゜Ｃ）において二次電池に過充電状態を生じさせない電圧値に相当する電圧値、あるいは又、二次電池の安全満充電電圧値に相当する電圧値とすればよい。具体的には、ＶREF-2は、例えば、二次電池１０の充電電圧値（即ち、第２抵抗分圧回路５１へ入力（印加）される電圧値）Ｖinが４．１８ボルトのときに第２抵抗分圧回路５１の電圧出力部５２における出力電圧値Ｖout-2と一致させればよい。あるいは又、二次電池１０の充電電圧値Ｖinが４．１８ボルトのときに第２抵抗分圧回路５１の電圧出力部５２における出力電圧値Ｖout-2がＶREF-2と一致するように、抵抗Ｒ5，Ｒ6，Ｒ7の電気抵抗値を調整すればよい。
【００２６】
第１基準電圧値ＶREF-1は、第１シャントレギュレータ４４が有する内部基準電圧値であり、第２基準電圧値ＶREF-2と同様に、基準温度（例えば、４０゜Ｃ）において二次電池に過充電状態を生じさせない電圧値に相当する電圧値、あるいは又、二次電池の安全満充電電圧値に相当する電圧値とすればよい。上述したとおり、二次電池１０の安全満充電電圧値は、周囲の温度が上昇とすると低下するといった負の温度依存性を有する。一方、温度検出手段（ＮＴＣタイプのサーミスタ）４３も、温度の上昇に対して電気抵抗値が減少するといった負の温度依存性を有する。従って、例えば、周囲の温度が６０゜Ｃになると安全満充電電圧値は４．０１ボルトに低下するので、二次電池１０の充電電圧値（即ち、第１抵抗分圧回路４１へ入力（印加）される電圧値）Ｖinが４．０１ボルトのときに第１抵抗分圧回路４１の電圧出力部４２における出力電圧値Ｖout-1が第１基準電圧値ＶREF-1となるような特性を有する温度検出手段４３を選択すればよい。あるいは又、二次電池１０の充電電圧値Ｖinが４．０１ボルトのときに第１抵抗分圧回路４１の電圧出力部４２における出力電圧値Ｖout-1が第１基準電圧値ＶREF-1と一致するように、抵抗Ｒ1，Ｒ2，Ｒ3，Ｒ4の電気抵抗値を調整すればよい。一般的には、周囲の温度がＴ゜Ｃであるときの安全満充電電圧値をＶs-Tとすると、二次電池１０の充電電圧値Ｖinが安全満充電電圧値Ｖs-Tのときに第１抵抗分圧回路４１の電圧出力部４２における出力電圧値Ｖout-1が第１基準電圧値ＶREF-1となるような特性を有する温度検出手段４３を選択すればよい。あるいは又、二次電池１０の充電電圧値Ｖinが安全満充電電圧値Ｖs-Tのときに第１抵抗分圧回路４１の電圧出力部４２における出力電圧値Ｖout-1がＶREF-1と一致するように、抵抗Ｒ1，Ｒ2，Ｒ3，Ｒ4の電気抵抗値を調整すればよい。あるいは又、温度検出手段４３の選択と、抵抗Ｒ1，Ｒ2，Ｒ3，Ｒ4の電気抵抗値の調整を併せて行えばよい。
【００２７】
図３に、周囲の温度Ｔと充電電圧値Ｖinとの関係を模式的に示す。図３において、二次電池１０の充電電圧値Ｖinが領域「Ａ」，「Ｂ」，「Ｃ」内に存在するとき、第１シャントレギュレータ４４と第２シャントレギュレータ５４のいずれか一方あるいは両方がオン状態となり、二次電池１０に蓄えられていた電力が放熱手段７０によって熱に変換され、熱として廃棄される。
【００２８】
このように、実施例１の二次電池保護回路は、非水系の二次電池に並列に接続されており、第１電圧検出回路、第２電圧検出回路、スイッチ手段及び放熱手段を備えており、二次電池に並列に接続された第１電圧検出回路は温度検出手段を有し、二次電池に並列に接続された第２電圧検出回路と第１電圧検出回路のいずれか一方あるいは両方がオン状態である場合、スイッチ手段が導通状態となり、二次電池に蓄えられていた電力が放熱手段によって熱に変換される。即ち、実施例１の二次電池保護回路、あるいは又、ハイブリッド電源装置に備えられた二次電池保護回路において、第２電圧検出回路は二次電池の充電電圧値が安全満充電電圧値を越えたときの保護回路として機能し、第１電圧検出回路は二次電池が温度上昇したときに安全満充電電圧設定値を下げる保護回路として機能するので、二次電池の高い安全性を確保することができる。しかも、二次電池保護回路は、常時、二次電池の充電電圧値を監視しているので、安全満充電電圧値を僅かでも超えたならば直ちに動作する。それ故、より一層高い安全性を確保することができ、しかも、二次電池保護回路の消費電力は僅かである。更には、放熱手段として小さな電気抵抗値の抵抗器を用いることができる。
【００２９】
以上、本発明を好ましい実施例に基づき説明したが、本発明はこの実施例に限定されるものではない。実施例において説明した二次電池保護回路、二次電池、太陽電池、ハイブリッド電源装置の構成、構造は例示であり、適宜、変更することができる。例えば、実施例においては、スイッチ手段を２つのトランジスタから構成したが、１つのトランジスタから構成することができるし、第１抵抗分圧回路や第２抵抗分圧回路を構成する抵抗の数も適宜変更することができる。第１電圧検出回路、第２電圧検出回路及びスイッチ手段を、所謂ディスクリート部品から構成することもできるし、これらを、例えば１つの集積回路から構成することもできる。
【符号の説明】
【００３０】
１０・・・二次電池、２０・・・太陽電池、３０・・・二次電池保護回路、４０・・・第１電圧検出回路、４１・・・第１抵抗分圧回路、４２・・・第１抵抗分圧回路の電圧出力部、４３・・・温度検出手段、４４・・・第１シャントレギュレータ、４５・・・第１シャントレギュレータの入力部、４６・・・第１シャントレギュレータの出力部、５０・・・第２電圧検出回路、５１・・・第２抵抗分圧回路、５２・・・第２抵抗分圧回路の電圧出力部、５４・・・第２シャントレギュレータ、５５・・・第２シャントレギュレータの入力部、５６・・・第２シャントレギュレータの出力部、６０・・・スイッチ手段、６１・・・ＰＮＰトランジスタ、６２・・・ＦＥＴ、７０・・・放熱手段、Ｒ1，Ｒ2，Ｒ3，Ｒ4，Ｒ5，Ｒ6，Ｒ7，Ｒ8，Ｒ9・・・抵抗
【図１】
2011250628.tif 000003
【図２】
2011250628.tif 000004
【図３】
2011250628.tif 000005